(57)【要約】      （修正有）【課題】材料費と加工費用を抑えることができるとともに、使用時の安定性を向上させたトイレの仕切り板の支持スタンドを提供する。【解決手段】支持台座２１と連結部材２２と支柱２３と位置決め部材２４と底盤２５とからなる。支持台座２１の上方には積載部２１１が設けられ、積載部２１１の底部内面には係止ブロック２１３が設けられ、係止ブロック２１３内には穿孔が設けられる。連結部材２２の外表面にはネジ山が設けられ、内部にはネジ孔が設けられ、一端面には、嵌合溝２２３が設けられる。位置決め部材２４の外には支柱が被せられ、内部には穿孔が設けられ、外部には環状溝２４２が設けられ、本体には裁断面が設けられる。底盤２５の中央には結合孔が設けられ、結合孔にはリベットが通されて位置決め部材２４に固定され、底盤の周辺には複数の位置決め孔が設けられる。【選択図】図３
0003178235.tif 000002
【実用新案登録請求の範囲】
【請求項１】
支持台座と、連結部材と、支柱と、位置決め部材と、底盤とからなるトイレの仕切り板の支持スタンドであって、
前記支持台座の上方には積載部が設けられ、前記積載部の両側には、少なくとも一つの固定孔が設けられ、積載部の底部の内面には係止ブロックが設けられ、前記係止ブロック内には穿孔が設けられ、前記穿孔は積載部の底部を貫通し、
前記連結部材の外表面にはネジ山が設けられ、連結部材の内部にはネジ孔が設けられ、連結部材の一端面には、支持台座の積載部の係止ブロックに嵌合される嵌合溝が設けられ、
前記支柱は中空管体であり、支柱の内部の管壁には、連結部材のネジ山に螺合されるネジ山が設けられ、支柱の下方には、その本体を貫通するネジ孔が設けられ、
前記位置決め部材は、中空の円柱体であり、位置決め部材の外には支柱が被せられ、位置決め部材の内部には穿孔が設けられ、位置決め部材の外部には環状溝が設けられ、前記位置決め部材の本体の上、下縁の外表面の相互に対応する箇所には、裁断面がそれぞれ設けられ、
前記底盤の中央には、結合孔が設けられ、結合孔にはリベットが通されて位置決め部材に固定され、前記底盤の周辺には複数の位置決め孔が設けられることを特徴とするトイレの仕切り板の支持スタンド。
【請求項２】
位置決め部材の他端面には、凹溝が設けられることを特徴とする、請求項１に記載のトイレの仕切り板の支持スタンド。
【請求項３】
支持台座と連結部材の間には、さらに、リンク部材が設けられ、前記リンク部材の一端には、支持台座の係止ブロックと嵌合される嵌合溝が設けられ、前記リンク部材の他端には、連結部材の嵌合溝と嵌合される係止ブロックが設けられ、リンク部材の嵌合溝の底面には穿孔が設けられ、前記穿孔はリンク部材の係止ブロックの外まで貫通することを特徴とする、請求項１に記載のトイレの仕切り板の支持スタンド。
【考案の詳細な説明】
【技術分野】
【０００１】
本考案はトイレの仕切り板の支持スタンドに関し、特に素早く組み立てることができるとともに、その高さを調整することができるトイレの仕切り板の支持スタンドに関する。
【背景技術】
【０００２】
一般の公衆トイレは、主に、複数の仕切り板に、扉を合わせてなる。前記仕切り板は、トイレの仕切り板の支持スタンド１によって地面に固定される。図１、図２に示すように、従来のトイレの仕切り板の支持スタンド１は、主に、円柱状の支持台座１１と、支柱１２と、底盤１３とからなる。その内、支持台座１１の上方には積載部１１１が設けられ、仕切り板はその中に取り付けられる。支持台座１１の下方には、円柱状の本体が設けられ、前記本体内にはネジ山が設けられる。支柱１２は柱体であり、その上方にはネジ山が設けられ、支持台座１１本体のネジ山と螺合され、支柱１２の下方は、底盤１３に固定される。底盤１３の一方の面は、支柱１２とリベットで連結され、もう一方の面は、螺合部材で地面と固定される。
【０００３】
上述した従来のトイレの仕切り板の支持スタンド１内の支持台座１１は、棒状の金属材からなり、その積載部１１１は裁断されて形成され、その本体内のネジ山は、支持台座１１を一つ一つ加工して形成されるため、支持台座１１の長さが長くなればなるほどその加工コストは増える。また、支柱１２は棒状の金属材からなる。支持台座１１本体内のネジ山を螺合することができるように、支柱１２は、棒状材の上方箇所をまず加工してネジ山を形成させ、さらに、その残った部分の直径を加工して削り細くしなければならないため、材料、加工手順、費用、いずれの方面に関しても無駄が多いといえる。
【考案の概要】
【考案が解決しようとする課題】
【０００４】
そこで、本考案は、材料費と加工費用を抑えることができるとともに、使用時の安定性を向上させたトイレの仕切り板の支持スタンドを提供することを目的とする。
【課題を解決するための手段】
【０００５】
本考案のトイレの仕切り板の支持スタンドは、支持台座と、連結部材と、支柱と、位置決め部材と、底盤とからなる。前記支持台座の上方には積載部が設けられ、前記積載部の両側には、少なくとも一つの固定孔が設けられ、積載部の底部の内面には係止ブロックが設けられ、前記係止ブロック内には穿孔が設けられ、前記穿孔は積載部の底部を貫通する。前記連結部材の外表面にはネジ山が設けられ、連結部材の内部にはネジ孔が設けられ、連結部材の一端面には、支持台座の積載部の係止ブロックに嵌合される嵌合溝が設けられる。前記支柱は中空管体であり、支柱の内部の管壁には、連結部材のネジ山に螺合されるネジ山が設けられ、支柱の下方には、その本体を貫通するネジ孔が設けられる。前記位置決め部材は、中空の円柱体であり、位置決め部材の外には支柱が被せられ、位置決め部材の内部には穿孔が設けられ、位置決め部材の外部には環状溝が設けられ、前記位置決め部材の本体の上、下縁の外表面の相互に対応する箇所には、裁断面がそれぞれ設けられる。前記底盤の中央には、結合孔が設けられ、結合孔にはリベットが通されて位置決め部材に固定され、前記底盤の周辺には複数の位置決め孔が設けられる。支持台座には、仕切り板を取り付けて固定し、底盤は地面に固定される。
【考案の効果】
【０００６】
本考案では、支持台座に設けた係止ブロックを連結部材の嵌合溝に組み合わせることにより、支持台座と連結部材の両者を、素早く確実にしっかり結合させることができる。また、支柱と位置決め部材を組み合わせる時、位置決め部材の外径と支柱の内径の両者のサイズをできるだけ密着するようにしているため、位置決め部材が支柱をしっかりと支えることができ、支柱を結合した後に生じる揺れを最低限まで減らすことができ、支柱を結合した後の安定性を強化することができる。本考案の支柱は、加工してネジ山を形成させた管部材であり、それは一般的な管部材工場の基本的な製品である。そのため、価格は安価で、使用する時に、必要な分の長さだけ裁断すればよいため、非常に便利であり、支柱の材料コストを大幅に下げることができる。また、リンク部材を使用する数量は、状況に応じて増やすことができ、複数のリンク部材を相互に嵌合させて、その長さを長くして使用することができる。或いは、複数の異なる長さのリンク部材を組み合わせて使用することもでき、その応用範囲は広い。
【図面の簡単な説明】
【０００７】
【図１】従来のトイレの仕切り板の支持スタンドの分解斜視図である。
【図２】従来のトイレの仕切り板の支持スタンドを使用した状態を示した断面図である。
【図３】本考案の実施例１の分解斜視図である。
【図４】本考案の実施例１を使用した状態を示した断面図である。
【図５】本考案の実施例２の分解斜視図である。
【図６】本考案の実施例２を使用した状態を示した断面図である。
【考案を実施するための形態】
【０００８】
（実施例１）
まず、図３を参照する。図３に示すように、本考案によるトイレの仕切り板の支持スタンド２は、少なくとも、支持台座２１と、連結部材２２と、支柱２３と、位置決め部材２４と、底盤２５と、からなる。
【０００９】
支持台座２１は、円棒状であり、その上方には溝が設けられて積載部２１１を形成し、積載部２１１の両側には、少なくとも一つの固定孔２１２が設けられ、積載部２１１の底部内面には、係止ブロック２１３が設けられ、係止ブロック２１３内には穿孔２１４が設けられ、穿孔２１４は、積載部２１１の底部を貫通する。
【００１０】
連結部材２２は、外表面にネジ山２２１を備える円棒体であり、その内部にはネジ孔２２２が設けられ、連結部材２２の内の一端面には、積載部２１１の係止ブロック２１３と嵌合される嵌合溝２２３が設けられる。
【００１１】
支柱２３は、中空の管体であり、その内部の管壁には、連結部材２２のネジ山２２１に螺合されるネジ山２３１が設けられ、支柱２３の下方には、その本体を貫通するネジ孔２３２が設けられる。
【００１２】
位置決め部材２４は、中空の円柱体であり、その内部には穿孔２４１が設けられ、その外部には環状溝２４２が設けられ、位置決め部材２４の本体の上、下縁の外表面の相互に対応する箇所には、それぞれ、裁断面２４３が設けられ、その内の一端面には、凹溝２４４が設けられる。
【００１３】
底盤２５の中央には結合孔２５１が設けられ、底盤２５の周辺には、複数の位置決め孔２５２が設けられる。
【００１４】
本考案を組み合わせる時は、まず、リベットＡを、底盤２５の中央の結合孔２５１の背面から差込み、位置決め部材２４の穿孔２４１まで通した後に固定する。リベットＡによって、位置決め部材２４は底盤２５に一体に結合される。なお、リベットＡの末端は位置決め部材２４の凹溝２４４内に配置され、前記凹溝２４４の高さを越えない。次に、支柱２３を位置決め部材２４の外に被せ、ネジＢを支柱２３のネジ孔２３２に螺合する。この時、ネジＢは、位置決め部材２４の環状溝２４２内に進入するため、支柱２３と位置決め部材２４が固定される。
【００１５】
注意が必要なのは、支柱２３にネジ孔２３２を形成させる工程の時に、支柱２３の内径壁面のネジ孔２３２周囲に残留物が残り、支柱２３を位置決め部材２４に嵌め込む時の障害になりがちであるという点である。本考案では、これを避けるため、位置決め部材２４の外縁表面に裁断面２４３を設けた設計になっている。これにより、支柱２３を嵌め込む時、裁断面２４３の位置によりネジ孔２３２の周囲の残留物を避けることができるため、支柱２３を位置決め部材２４に嵌め込む時のスムーズさを確保することができる。また、この設計により、位置決め部材２４の外径と支柱２３の内径の両者のサイズは、できるだけ密着するようにすることができ、それにより、位置決め部材２４で支柱２３をしっかりと支えることができ、支柱２３を結合した後に生じる揺れの程度を最低限まで減らすことができ、支柱２３を結合した後の安定性を強化することができる。
【００１６】
もう一方で、連結部材２２の嵌合溝２２３を、支持台座２１内の係止ブロック２１３に嵌合させることで、連結部材２２と支持台座２１を組み合わせることができ、さらに、ネジＣを支持台座２１の積載部２１１内の穿孔２１４から差し込むことで、連結部材２２のネジ孔２２２に螺合することができる。以上により、連結部材２２と支持台座２１の両者を緊密に結合させることができる。
【００１７】
図４に示すように、本考案を使用する時は、まず、ネジＢを緩めて、支柱２３と位置決め部材２４を仮固定の状態にし、次に、複数の螺合部材Ｄを底盤２５の位置決め孔２５２に入れ、底盤２５を所定の地面に固定する。その後、さらに、トイレの仕切り板を支持台座２１の積載部２１１内に取り付け、螺合部材Ｄで固定孔２１２に螺合することにより、前記トイレの仕切り板と支持台座２１を結合することができる。次に、支柱２３を回転させる。支柱２３を回転させると、支柱２３のネジ山２３１と連結部材２２のネジ山２２１は相互に螺合されているため、支柱２３は、連結部材２２の外の周りで回転し、それにより、連結部材２２に結合された支持台座２１が上昇或いは下降してその高さを調整することができる。最も適した高さに到達した時に、ネジＢをあらためて締めると、支柱２３が再び位置決め部材２４に固定される。以上で、本考案の使用は完成である。
【００１８】
（実施例２）
また、図５に示すように、本考案では、支持台座２１と連結部材２２の間には、さらに、リンク部材２６を増設することができる。リンク部材２６の一端には、支持台座２１の係止ブロック２１３に嵌合される嵌合溝２６１が設けられ、他端には、連結部材２２の嵌合溝２２３に嵌合される係止ブロック２６２が設けられ、嵌合溝２６１の底面には穿孔２６３が設けられ、穿孔２６３は係止ブロック２６２の外まで貫通する。
【００１９】
図６に示すように、実施例２を組み合わせる時は、まず、支持台座２１の係止ブロック２１３を、リンク部材２６の嵌合溝２６１に嵌合し、次に、リンク部材２６の係止ブロック２６２と連結部材２２の嵌合溝２２３を嵌合し、最後に、長さが長いネジＣを支持台座２１の積載部２１１内の穿孔２１４に差込み、順番に、リンク部材２６の穿孔２６３まで通す。そして、その後、さらに、連結部材２２のネジ孔２２２に螺合すると、支持台座２１、リンク部材２６、連結部材２２の三者が一体に結合される。次に、長さの長い支柱２３と位置決め部材２４及び底盤２５を先に結合させ、支持台座２１と仕切り板を固定した後、さらに、支持台座２１と支柱２３を螺合して、その高さを調整することで、仕切り板が地面から高い状況に対応することができる。
【００２０】
上述の実施例において、本考案の支柱２３は、加工してネジ山を形成させた管部材であり、それは一般的な管部材工場の基本的な製品である。そのため、価格は安価で、使用する時に、必要な分の長さだけ裁断すればよいため、非常に便利であり、支柱２３の材料コストと在庫の圧力が増すことはない。また、リンク部材２６を使用する数量は、状況に応じて増やすことができ、複数のリンク部材２６を相互に嵌合させて、その長さを長くして使用することができる。或いは、複数の異なる長さのリンク部材２６を組み合わせて使用することもでき、その応用範囲は広い。
【００２１】
本考案の効果は以下の通りである。本考案では、支持台座２１に設けた係止ブロック２１３を連結部材２２の嵌合溝２２３に組み合わせることにより、支持台座２１と連結部材２２の両者を、素早く確実にしっかり結合させることができる。また、支柱２３と位置決め部材２４を組み合わせる時、位置決め部材２４に裁断面２４３を設けた設計により、支柱２３のネジ孔２３２周囲に残留物が残ってしまうという問題を考慮する必要がなくなり、位置決め部材２４の外径と支柱２３の内径の両者のサイズをできるだけ密着するようにすることができ、それにより、位置決め部材２４が支柱２３をしっかりと支えることができ、支柱２３を結合した後に生じる揺れを最低限まで減らすことができ、支柱２３を結合した後の安定性を強化することができる。最後に、支持台座２１の積載部２１１に仕切り板を取り付けて固定し、底盤２５を地面の所定の位置に固定することで、支柱２３を回転させてその高さを調整することができる。このように、トイレの仕切り板の固定と高さの調整を行うことができる。
【符号の説明】
【００２２】
１      トイレの仕切り板の支持スタンド    
１１    支持台座      
１１１  積載部
１２    支柱      
１３    底盤
２      トイレの仕切り板の支持スタンド    
２１    支持台座      
２１１  積載部  
２１２  固定孔  
２１３  係止ブロック  
２１４  穿孔
２２    連結部材    
２２１  ネジ山    
２２２  ネジ孔    
２２３  嵌合溝
２３    支柱      
２３１  ネジ山    
２３２  ネジ孔  
２４    位置決め部材    
２４１  穿孔    
２４２  環状溝  
２４３  裁断面  
２４４  凹溝  
２５    底盤    
２５１  結合孔  
２５２  位置決め孔
２６    リンク部材    
２６１  嵌合溝  
２６２  係止ブロック  
２６３  穿孔
Ａ      リベット            
Ｂ      ネジ  
Ｃ      ネジ            
Ｄ      螺合部材      
【図１】
0003178235.tif 000003
【図２】
0003178235.tif 000004
【図３】
0003178235.tif 000005
【図４】
0003178235.tif 000006
【図５】
0003178235.tif 000007
【図６】
0003178235.tif 000008